(57)【要約】【課題】記事を構成する複数のパーツイメージを、記事内の指定した位置に関わらず、予め定めた順序に従い表示する。【解決手段】配信サーバ２０において、新聞イメージの配信要求があると、送信部２１が、全体イメージ記憶部２２から全体イメージを読み出すと共に、レイアウト情報記憶部２３からレイアウト情報を読み出し、これらを携帯端末に送信する。また、携帯端末の表示画面に全体イメージが表示された状態で表示画面上の位置が指定されることによりユーザが読みたい記事が特定されると、受信部２９が、その記事を指定したパーツイメージの配信要求を受信し、パーツ決定部２６が、関連付け情報記憶部２５に記憶された関連付け情報に基づいてパーツイメージの配信順序を決定し、送信部２１が、パーツイメージ記憶部２４からパーツイメージを読み出してその配信順序で携帯端末に配信する。【選択図】図２
2011141765.tif 000002
【特許請求の範囲】
【請求項１】
複数の部分領域を含み、各部分領域が複数の小領域を含む全体画像が、第１の解像度で表示画面に表示処理中又は表示後に、当該表示画面上の位置の指定を受け付ける受付手段と、
前記全体画像に含まれる前記複数の部分領域のうち、前記受付手段が指定を受け付けた位置に表示された部分領域に含まれる複数の小領域に対応する複数の小領域画像を、前記第１の解像度よりも高い第２の解像度で予め定めた順序に従い前記表示画面に表示する表示手段と
を備えたことを特徴とする画像表示装置。
【請求項２】
前記表示手段は、前記複数の部分領域のうちの第１の部分領域に含まれる複数の小領域のうち特定の順番が設定された１つの小領域に対応する第１の小領域画像を表示した後に、前記複数の部分領域のうちの第２の部分領域に含まれる複数の小領域のうち当該特定の順番が設定された１つの小領域に対応する第２の小領域画像を表示することを特徴とする請求項１に記載の画像表示装置。
【請求項３】
前記第１の部分領域及び前記第２の部分領域は、前記複数の部分領域の中から、予め定めた順序に従い選択されたものであることを特徴とする請求項２に記載の画像表示装置。
【請求項４】
前記第１の部分領域及び前記第２の部分領域は、前記複数の部分領域の中から、各部分領域の属性と操作者の属性との照合結果に基づいて選択されたものであることを特徴とする請求項２に記載の画像表示装置。
【請求項５】
複数の部分領域を含み、各部分領域が複数の小領域を含む全体画像が、第１の解像度で他の装置の表示画面に表示処理中又は表示後に、当該表示画面上の位置が指定されることにより、当該複数の部分領域のうち、当該位置に表示された部分領域を指定する情報を受信する受信手段と、
前記受信手段により受信された情報で指定された部分領域に含まれる複数の小領域に対応する複数の小領域画像を、前記第１の解像度よりも高い第２の解像度で予め定めた順序に従い前記表示画面に表示されるように、前記他の装置に送信する送信手段と
を備えたことを特徴とする画像送信装置。
【請求項６】
前記送信手段は、前記複数の部分領域のうちの第１の部分領域に含まれる複数の小領域のうち特定の順番が設定された１つの小領域に対応する第１の小領域画像と、前記複数の部分領域のうちの第２の部分領域に含まれる複数の小領域のうち当該特定の順番が設定された１つの小領域に対応する第２の小領域画像とを、当該第１の小領域画像が前記表示画面に表示された後に当該第２の小領域画像が前記表示画面に表示されるように、前記他の装置に送信することを特徴とする請求項５に記載の画像送信装置。
【請求項７】
前記第１の部分領域及び前記第２の部分領域は、前記複数の部分領域の中から、予め定めた順序に従い選択されたものであることを特徴とする請求項６に記載の画像送信装置。
【請求項８】
前記第１の部分領域及び前記第２の部分領域は、前記複数の部分領域の中から、各部分領域の属性と操作者の属性との照合結果に基づいて選択されたものであることを特徴とする請求項６に記載の画像送信装置。
【請求項９】
画像を送信する画像送信装置と、
前記画像送信装置により送信された前記画像を表示する画像表示装置と
を備え、
前記画像表示装置は、
複数の部分領域を含み、各部分領域が複数の小領域を含む全体画像が、第１の解像度で表示画面に表示処理中又は表示後に、当該表示画面上の位置が指定されると、当該複数の部分領域のうち、当該位置に表示された部分領域を指定する情報を、前記画像送信装置に送信する第１の送信手段
を備え、
前記画像送信装置は、
前記第１の送信手段により送信された情報を受信する受信手段と、
前記受信手段により受信された情報で指定された部分領域に含まれる複数の小領域に対応する複数の小領域画像を、前記画像表示装置に送信する第２の送信手段と
を備え、
前記画像表示装置は、
前記第２の送信手段により送信された前記複数の小領域画像を、前記第１の解像度よりも高い第２の解像度で予め定めた順序に従い前記表示画面に表示する表示手段
を更に備えたことを特徴とする画像送信システム。
【請求項１０】
コンピュータに、
複数の部分領域を含み、各部分領域が複数の小領域を含む全体画像が、第１の解像度で表示画面に表示処理中又は表示後に、当該表示画面上の位置の指定を受け付ける機能と、
前記全体画像に含まれる前記複数の部分領域のうち、指定を受け付けた位置に表示された部分領域に含まれる複数の小領域に対応する複数の小領域画像を、前記第１の解像度よりも高い第２の解像度で予め定めた順序に従い前記表示画面に表示する機能と
を実現させるためのプログラム。
【発明の詳細な説明】
【技術分野】
【０００１】
本発明は、画像表示装置、画像送信装置、画像送信システム、プログラムに関する。
【背景技術】
【０００２】
読取データ等の画像データの中から画像部分を抽出し、その抽出された画像部分を含む新たな画像データを生成する技術が知られている（例えば、特許文献１参照）。
同一の全体地域について縮尺の異なる複数の全体地図データを有し、各縮尺の全体地図データは、全体地域を細分した微小地域毎の多数の断片地図データに分割されており、ユーザによる表示のスクロール又は拡大縮小の操作に応答して、表示すべき地域の断片地図データを選択的に、同じ地域について縮尺の異なる複数の断片地図データは小縮尺の断片地図データから優先的に、ダウンロードして表示する技術も知られている（例えば、特許文献２参照）。
【先行技術文献】
【特許文献】
【０００３】
【特許文献１】特開２００９−８８６７５号公報
【特許文献２】特開２００２−２９０７１８号公報
【発明の概要】
【発明が解決しようとする課題】
【０００４】
本発明の目的は、部分領域内の複数の小領域の画像を、部分領域内の指定した位置に関わらず、予め定めた順序に従い表示することにある。
【課題を解決するための手段】
【０００５】
請求項１に記載の発明は、複数の部分領域を含み、各部分領域が複数の小領域を含む全体画像が、第１の解像度で表示画面に表示処理中又は表示後に、当該表示画面上の位置の指定を受け付ける受付手段と、前記全体画像に含まれる前記複数の部分領域のうち、前記受付手段が指定を受け付けた位置に表示された部分領域に含まれる複数の小領域に対応する複数の小領域画像を、前記第１の解像度よりも高い第２の解像度で予め定めた順序に従い前記表示画面に表示する表示手段とを備えたことを特徴とする画像表示装置である。
請求項２に記載の発明は、前記表示手段は、前記複数の部分領域のうちの第１の部分領域に含まれる複数の小領域のうち特定の順番が設定された１つの小領域に対応する第１の小領域画像を表示した後に、前記複数の部分領域のうちの第２の部分領域に含まれる複数の小領域のうち当該特定の順番が設定された１つの小領域に対応する第２の小領域画像を表示することを特徴とする請求項１に記載の画像表示装置である。
請求項３に記載の発明は、前記第１の部分領域及び前記第２の部分領域は、前記複数の部分領域の中から、予め定めた順序に従い選択されたものであることを特徴とする請求項２に記載の画像表示装置である。
請求項４に記載の発明は、前記第１の部分領域及び前記第２の部分領域は、前記複数の部分領域の中から、各部分領域の属性と操作者の属性との照合結果に基づいて選択されたものであることを特徴とする請求項２に記載の画像表示装置である。
請求項５に記載の発明は、複数の部分領域を含み、各部分領域が複数の小領域を含む全体画像が、第１の解像度で他の装置の表示画面に表示処理中又は表示後に、当該表示画面上の位置が指定されることにより、当該複数の部分領域のうち、当該位置に表示された部分領域を指定する情報を受信する受信手段と、前記受信手段により受信された情報で指定された部分領域に含まれる複数の小領域に対応する複数の小領域画像を、前記第１の解像度よりも高い第２の解像度で予め定めた順序に従い前記表示画面に表示されるように、前記他の装置に送信する送信手段とを備えたことを特徴とする画像送信装置である。
請求項６に記載の発明は、前記送信手段は、前記複数の部分領域のうちの第１の部分領域に含まれる複数の小領域のうち特定の順番が設定された１つの小領域に対応する第１の小領域画像と、前記複数の部分領域のうちの第２の部分領域に含まれる複数の小領域のうち当該特定の順番が設定された１つの小領域に対応する第２の小領域画像とを、当該第１の小領域画像が前記表示画面に表示された後に当該第２の小領域画像が前記表示画面に表示されるように、前記他の装置に送信することを特徴とする請求項５に記載の画像送信装置である。
請求項７に記載の発明は、前記第１の部分領域及び前記第２の部分領域は、前記複数の部分領域の中から、予め定めた順序に従い選択されたものであることを特徴とする請求項６に記載の画像送信装置である。
請求項８に記載の発明は、前記第１の部分領域及び前記第２の部分領域は、前記複数の部分領域の中から、各部分領域の属性と操作者の属性との照合結果に基づいて選択されたものであることを特徴とする請求項６に記載の画像送信装置である。
請求項９に記載の発明は、画像を送信する画像送信装置と、前記画像送信装置により送信された前記画像を表示する画像表示装置とを備え、前記画像表示装置は、複数の部分領域を含み、各部分領域が複数の小領域を含む全体画像が、第１の解像度で表示画面に表示処理中又は表示後に、当該表示画面上の位置が指定されると、当該複数の部分領域のうち、当該位置に表示された部分領域を指定する情報を、前記画像送信装置に送信する第１の送信手段を備え、前記画像送信装置は、前記第１の送信手段により送信された情報を受信する受信手段と、前記受信手段により受信された情報で指定された部分領域に含まれる複数の小領域に対応する複数の小領域画像を、前記画像表示装置に送信する第２の送信手段とを備え、前記画像表示装置は、前記第２の送信手段により送信された前記複数の小領域画像を、前記第１の解像度よりも高い第２の解像度で予め定めた順序に従い前記表示画面に表示する表示手段を更に備えたことを特徴とする画像送信システムである。
請求項１０に記載の発明は、コンピュータに、複数の部分領域を含み、各部分領域が複数の小領域を含む全体画像が、第１の解像度で表示画面に表示処理中又は表示後に、当該表示画面上の位置の指定を受け付ける機能と、前記全体画像に含まれる前記複数の部分領域のうち、指定を受け付けた位置に表示された部分領域に含まれる複数の小領域に対応する複数の小領域画像を、前記第１の解像度よりも高い第２の解像度で予め定めた順序に従い前記表示画面に表示する機能とを実現させるためのプログラムである。
【発明の効果】
【０００６】
請求項１の発明によれば、部分領域内の複数の小領域の画像を、部分領域内の指定した位置に関わらず、予め定めた順序に従い表示することができる。
請求項２の発明によれば、複数の部分領域を順に選択して各部分領域内の小領域の画像を１つずつ表示することができる。
請求項３の発明によれば、複数の部分領域を予め定めた順序に従い選択して各部分領域内の小領域の画像を１つずつ表示することができる。
請求項４の発明によれば、複数の部分領域を、各部分領域の属性と操作者の属性との照合結果に基づき選択して、各部分領域内の小領域の画像を１つずつ表示することができる。
請求項５の発明によれば、部分領域内の複数の小領域の画像を、部分領域内の指定した位置に関わらず、予め定めた順序に従い表示することができる。
請求項６の発明によれば、複数の部分領域を順に選択して各部分領域内の小領域の画像を１つずつ表示することができる。
請求項７の発明によれば、複数の部分領域を予め定めた順序に従い選択して各部分領域内の小領域の画像を１つずつ表示することができる。
請求項８の発明によれば、複数の部分領域を、各部分領域の属性と操作者の属性との照合結果に基づき選択して、各部分領域内の小領域の画像を１つずつ表示することができる。
請求項９の発明によれば、部分領域内の複数の小領域の画像を、部分領域内の指定した位置に関わらず、予め定めた順序に従い表示することができる。
請求項１０の発明によれば、部分領域内の複数の小領域の画像を、部分領域内の指定した位置に関わらず、予め定めた順序に従い表示することができる。
【図面の簡単な説明】
【０００７】
【図１】本発明の実施の形態が適用されるコンピュータシステムの全体構成を示した図である。
【図２】本発明の実施の形態における配信サーバの機能構成例を示したブロック図である。
【図３】本発明の実施の形態で表示される全体イメージの例を示した図である。
【図４】本発明の実施の形態で表示される全体イメージを記事、パーツに分割した例を示した図である。
【図５】本発明の実施の形態で用いられるレイアウト情報の例を示した図である。
【図６】本発明の実施の形態で用いられる関連付け情報の例を示した図である。
【図７】本発明の実施の形態における携帯端末の機能構成例を示したブロック図である。
【図８】本発明の実施の形態における携帯端末の動作例を示したフローチャートである。
【図９】本発明の実施の形態における携帯端末の表示画面に全体イメージが表示されたときの状態を示した図である。
【図１０】本発明の実施の形態における携帯端末の表示画面上で位置を指定したときの状態を示した図である。
【図１１】本発明の実施の形態における配信サーバの動作例を示したフローチャートである。
【図１２】本発明の実施の形態を実現可能なコンピュータのハードウェア構成図である。
【発明を実施するための形態】
【０００８】
以下、添付図面を参照して、本発明の実施の形態について詳細に説明する。
図１は、本実施の形態が適用されるコンピュータシステムの構成例を示したものである。
図示するように、このコンピュータシステムは、携帯端末１０と、配信サーバ２０とがネットワーク８０を介して接続されることにより、構成されている。尚、本実施の形態では、画像送信システムの一例として、このコンピュータシステムを用いている。
【０００９】
携帯端末１０は、例えばブラウザによってコンテンツを表示画面に表示することが可能な携帯型の端末装置である。ここで、携帯端末１０としては、携帯電話機、ＰＤＡ（Personal Digital Assistants）等を用いるとよい。本実施の形態では、画像表示装置の一例として、携帯端末１０を設けている。
配信サーバ２０は、携帯端末１０にコンテンツを配信するサーバコンピュータである。ここで、配信サーバ２０としては、例えば、パーソナルコンピュータやワークステーション、その他のコンピュータを用いるとよい。本実施の形態では、画像送信装置の一例として、配信サーバ２０を設けている。
ネットワーク８０は、携帯端末１０と配信サーバ２０との間で情報通信を行うために用いられる通信回線網である。ここで、ネットワーク８０としては、ＬＡＮ（Local Area Network）やインターネットを用いるとよい。
【００１０】
次に、このような動作を実現する携帯端末１０及び配信サーバ２０について説明する。
尚、以下では、コンテンツとして、新聞のイメージデータ（以下、単に「イメージ」という）を例にとって説明する。ここで、新聞のイメージ（新聞イメージ）は、複数の記事のイメージからなり、各記事のイメージは、複数の構成物（パーツ）のイメージ（パーツイメージ）からなるものとする。
【００１１】
まず、配信サーバ２０の機能構成について説明する。
図２は、配信サーバ２０の機能構成例を示したブロック図である。
図示するように、配信サーバ２０は、送信部２１と、全体イメージ記憶部２２と、レイアウト情報記憶部２３と、パーツイメージ記憶部２４と、関連付け情報記憶部２５と、パーツ決定部２６と、受信部２９とを備える。
【００１２】
送信部２１は、携帯端末１０から新聞の全体イメージの配信要求が送られると、全体イメージ記憶部２２に記憶された全体イメージと、レイアウト情報記憶部２３に記憶されたレイアウト情報とを携帯端末１０に送信する。また、携帯端末１０から記事を指定したパーツイメージの配信要求が送られると、パーツイメージ記憶部２４に記憶されたパーツイメージのうちその記事を構成するパーツイメージを携帯端末１０に送信する。本実施の形態では、複数の小領域画像を送信する送信手段、第２の送信手段の一例として、送信部２１を設けている。
全体イメージ記憶部２２は、新聞のページ全体を画像化した全体イメージを記憶する。この全体イメージの詳細については後述する。
レイアウト情報記憶部２３は、新聞のページの各位置に配置された記事及びパーツを管理するレイアウト情報を記憶する。このレイアウト情報の詳細についても後述する。
パーツイメージ記憶部２４は、新聞の記事を構成するパーツのイメージであるパーツイメージを記憶する。
関連付け情報記憶部２５は、新聞のページと記事とパーツとを関連付けた関連付け情報を記憶する。この関連付け情報の詳細についても後述する。
パーツ決定部２６は、携帯端末１０から記事を指定したパーツイメージの配信要求が送られると、その記事を構成するパーツイメージの配信順序を決定する。
受信部２９は、新聞の全体イメージの配信要求やパーツイメージの配信要求を受信する。本実施の形態では、部分領域を指定する情報を受信する受信手段の一例として、受信部２９を設けている。
【００１３】
ここで、全体イメージ記憶部２２に記憶された全体イメージについて説明する。
図３は、全体イメージの具体例を示した図である。
図中、太い実線は、記事の境界を示している。また、斜線ハッチングは、写真が割り付けられた領域を示しており、細い横線は、記事の文章を示している。そして、この全体イメージは、携帯端末１０に早く届くことを優先して低解像度のデータになっており、単位表示面積当たりのデータ量が小さくなっている。これに対し、上述したパーツイメージは、ユーザが文字等を読み取れるように高解像度のデータとなっており、単位表示面積当たりのデータ量が大きくなっている。
【００１４】
次に、レイアウト情報記憶部２３に記憶されたレイアウト情報について説明する。
ここで、まず、レイアウト情報について説明する前に、新聞イメージの構成について、図を参照して説明しておく。
図４（ａ）に、図３の全体イメージを記事に分割した状態を示す。図示するように、各記事には、記事を識別する識別子（図では丸囲み数字で表記）を割り振っている。以下、この記事を識別する識別子を記事ＩＤと称し、記事ＩＤ「Ｍ」の記事を記事＃Ｍと表記することにする。
図４（ｂ）に、（ａ）の記事＃３のイメージを更にパーツに分割した状態を示す。図示するように、各パーツには、パーツを識別する識別子（図では四角囲み数字で表記）を割り振っている。以下、このパーツを識別する識別子をパーツＩＤと称し、パーツＩＤ「Ｎ」のパーツをパーツ＃Ｎと表記することにする。
【００１５】
このように、１ページ分の全体イメージをパーツまで分割した後、全体イメージ内の位置と記事とパーツとの対応関係をレイアウト情報として管理する。
図５は、レイアウト情報の具体例を示した図である。
図示するように、レイアウト情報は、全体イメージの各位置に対して、記事ＩＤとパーツＩＤを格納する変数が配置された２次元の配列構造を有している。図では、全体イメージの左上の部分のみを示しており、記事ＩＤをＭ、パーツＩＤをＮとすると、各位置に配置された変数には、「Ｍ−Ｎ」が格納されている。
【００１６】
或いは、レイアウト情報は、記事ＩＤと、パーツＩＤと、全体イメージ内でパーツが占める領域を特定する情報との対応情報によって管理してもよい。この場合、パーツが占める領域は、矩形であれば、その領域の左上点及び右下点の座標によって特定すればよいが、例えば、図４（ｂ）のパーツ＃３のように矩形でなければ、矩形に分割した後に、分割後の領域の左上点及び右下点の座標によって特定すればよい。
尚、全体イメージから記事への分割や、記事からパーツへの分割は、コンピュータの画像解析によって行ってもよいし、ユーザの指示によって行ってもよい。
【００１７】
次いで、関連付け情報記憶部２５に記憶された関連付け情報について説明する。
図６は、関連付け情報の具体例を示した図である。
図示するように、関連付け情報は、ページと、各ページに属する記事と、各記事に属するパーツとを関連付けた情報である。図中、丸囲み数字は記事ＩＤを表しており、四角囲み数字はパーツＩＤを表している。但し、パーツＩＤは、記事＃３に対してのみ示している。ここで、記事に関連付けられたパーツの順序としては、例えば、記事内での読み進む順序を採用することが考えられるが、予め定めた順序であれば、如何なる順序を採用してもよい。また、図では、関連付け情報をツリー構造で構成した例を示しているが、如何なる構造で構成してもよい。更に、関連付け情報は、ページ単位で管理してもよいし、新聞単位で管理してもよい。
【００１８】
次に、携帯端末１０の機能構成について説明する。
図７は、携帯端末１０の機能構成例を示したブロック図である。
図示するように、携帯端末１０は、送信部１１と、レイアウト情報記憶部１３と、表示制御部１４と、操作受付部１５と、記事決定部１６と、受信部１９とを備える。
【００１９】
送信部１１は、新聞の全体イメージの配信要求や、記事を指定したパーツイメージの配信要求を、配信サーバ２０に送信する。本実施の形態では、部分領域を指定する情報を送信する第１の送信手段の一例として、送信部１１を設けている。
レイアウト情報記憶部１３は、新聞の全体イメージの配信要求に応答して配信サーバ２０から送られたレイアウト情報を受信部１９から受け取って記憶する。
表示制御部１４は、新聞の全体イメージの配信要求に応答して配信サーバ２０から送られた全体イメージや、記事を指定したパーツイメージの配信要求に応答して配信サーバ２０から送られたパーツイメージを、受信部１９から受け取り、それらのイメージの表示画面への表示を制御する。本実施の形態では、複数の小領域画像を表示する表示手段の一例として、表示制御部１４を設けている。
操作受付部１５は、表示画面上でユーザが位置を指定する操作を受け付ける。本実施の形態では、位置の指定を受け付ける受付手段の一例として、操作受付部１５を設けている。
記事決定部１６は、レイアウト情報記憶部１３に記憶されたレイアウト情報を参照して、操作受付部１５が指定を受け付けた位置に表示された記事を決定する。
受信部１９は、新聞の全体イメージの配信要求に応答して配信サーバ２０から送られた全体イメージ及びレイアウト情報や、記事を指定したパーツイメージの配信要求に応答して配信サーバ２０から送られたパーツイメージを受信する。
【００２０】
次に、本実施の形態の動作について説明する。尚、この動作に先立ち、携帯端末１０では、送信部１１が新聞の全体イメージの配信要求を配信サーバ２０に送信しているものとする。そして、配信サーバ２０では、受信部２９がこの配信要求を受信し、送信部２１が全体イメージ記憶部２２から全体イメージを読み出すと共に、レイアウト情報記憶部２３からレイアウト情報を読み出し、これらを携帯端末１０に送信しているものとする。
【００２１】
図８は、その後の携帯端末１０の動作を示したフローチャートである。
携帯端末１０では、まず、受信部１９が、配信サーバ２０が送信した全体イメージとレイアウト情報とを受信する（ステップ１０１）。このとき、レイアウト情報はレイアウト情報記憶部１３に記憶される。そして、表示制御部１４が、全体イメージを表示画面に表示する（ステップ１０２）。
図９に、このときの表示画面の状態の一例を示す。この例は、図３〜５に示した新聞イメージを表示したときの状態である。但し、新聞イメージ内の写真や文章については、図示を省略している。
【００２２】
このように、携帯端末１０の表示画面に新聞の全体イメージが表示された状態で、ユーザは、全体イメージをスクロールしたり拡大したりして、読みたい箇所を指定する。
図１０に、ユーザが読みたい箇所を指定するときの表示画面の状態の一例を示す。この例は、表示画面の中心に読みたい箇所を移動することで、読みたい箇所を指定するときの状態である。即ち、図では、読みたい箇所が、縦の破線と横の破線の交点で示される表示画面の中心に移動されることで指定されている。或いは、ユーザが読みたい箇所をクリックして、図１０のような状態になるように構成してもよい。尚、図において、新聞イメージは拡大されているが、この状態では、解像度の低いイメージを拡大しただけなので、文字を読み取ることはできない。
【００２３】
引き続き、ユーザがこのような操作を行ったときの動作について、再び図８を参照して説明する。
ユーザが読みたい箇所を指定する操作を行うと、操作受付部１５が、表示画面の中心やユーザがクリックした位置の全体イメージ上での座標を特定する（ステップ１０３）。そして、記事決定部１６が、この特定した座標と、レイアウト情報記憶部１３に記憶されたレイアウト情報とを照合し、ユーザがどの記事に注目しているかを割り出す（ステップ１０４）。図１０が図３〜５に示した新聞イメージを示したものであるとすると、図１０では、記事＃３に注目していることが割り出される。
そして、送信部１１は、ステップ１０４で割り出した記事のパーツイメージの配信要求を配信サーバ２０に送信する（ステップ１０５）。ここで、パーツイメージの配信要求には、注目している記事の記事ＩＤが付加されているものとする。
【００２４】
尚、携帯端末１０は、ユーザが注目する箇所が変更されれば、変更される度に、ステップ１０３以降の動作を繰り返す。また、注目する箇所が変更されなければ、ページ内の他の記事に属するパーツイメージの配信を順次配信サーバ２０に要求する。
【００２５】
このようにして携帯端末１０からパーツイメージの配信要求があると、配信サーバ２０は、パーツイメージを携帯端末１０に配信する。
図１１は、このときの配信サーバ２０の動作を示したフローチャートである。
配信サーバ２０では、まず、受信部２９が、パーツイメージの配信要求を受信する（ステップ２０１）。
【００２６】
次に、パーツ決定部２６は、ユーザが注目している記事内のパーツイメージの配信順序を決定する（ステップ２０２）。具体的には、パーツイメージの配信要求に付加された記事ＩＤを受信部２９から受け取り、関連付け情報記憶部２５に記憶された関連付け情報においてこの記事ＩＤに関連付けられたパーツＩＤ及びその順序を取得し、記事ＩＤ、パーツＩＤ、パーツの順序を送信部２１に渡す。
【００２７】
次いで、パーツ決定部２６から記事ＩＤ、パーツＩＤ、パーツの順序が伝えられると、送信部２１が、記事ＩＤ及びパーツＩＤをキーに、パーツの順序に従い、パーツイメージをパーツイメージ記憶部２４から読み出し、携帯端末１０に対して送信する（ステップ２０３）。
その後、送信部２１は、全てのパーツイメージを送信したかどうかを判定する（ステップ２０４）。そして、全てのパーツイメージを送信していなければ、ステップ２０３に戻って次のパーツイメージを送信し、全てのパーツイメージを送信していれば、処理を終了する。
【００２８】
これにより、携帯端末１０では、受信部１９がパーツイメージを受信し、表示制御部１４が、このパーツイメージを、送信されてきた順に表示画面に表示する。尚、ここでの表示方法としては、次のようなものが考えられる。
第一に、低解像度の全体イメージを表示したまま、ダウンロードしたパーツイメージをその上に順次表示させていく方法である。
第二に、低解像度の全体イメージを消去し、ダウンロードしたパーツイメージのみを順次表示させていく方法である。
第三に、ユーザが注目している記事についてのみ、ダウンロードしたパーツイメージを順次表示させていく方法である。
【００２９】
また、上記では、携帯端末１０の表示画面に新聞の全体イメージが表示された状態で、ユーザが読みたい箇所を指定するようにしたが、全体イメージを表示する前にユーザが読みたい箇所を指定するようにしてもよい。例えば、読みたい記事（ジャンル）が分かっているユーザが、全体イメージの表示を待たずに、表示予定部分を先に指定するような場合である。この場合、全体イメージが表示されているかどうかに関わらず、指定された位置に基づいてパーツイメージが優先的に表示される。その際に、指定された位置において、全体イメージを優先的に表示するようにしてもよいし、パーツイメージを優先的に表示するようにしてもよい。
【００３０】
ところで、ステップ２０２におけるパーツイメージの配信順序の決定方法としては、種々の変形例が考えられる。
第１の変形例は、最初に配信するパーツイメージについてはユーザが指定するという方法である。
上記では、記事内の全てのパーツイメージの配信順序を関連付け情報に基づいて決定したが、この方法では、記事内の指定されたパーツイメージについては最初に配信するものとし、記事内のその他のパーツイメージの配信順序を関連付け情報に基づいて決定するというものである。
この場合、携帯端末１０では、ステップ１０４で、記事決定部１６が、読みたい記事を割り出すだけでなく、記事の中でどのパーツに注目しているかを割り出す。例えば、図１０では、表示画面の中心が記事＃３のパーツ＃３の領域と重なっている（図４（ｂ）を参照）ので、記事＃３のパーツ＃３に注目していると判断する。尚、この場合、記事の割り出しとパーツの割り出しとは、別々に行ってもよいし、同時に行ってもよい。そして、ステップ１０５で、送信部１１が、ステップ１０４で特定された記事の記事ＩＤとパーツのパーツＩＤとを付加してパーツイメージの配信要求を配信サーバ２０に送信する。
【００３１】
これにより、配信サーバ２０では、ステップ２０１で、受信部２９が記事及びパーツを指定したパーツイメージの配信要求を受信し、ステップ２０２で、パーツ決定部２６が、指定された記事内の指定されたパーツ（図１０の例では、記事＃３のパーツ＃３）以外のパーツイメージの配信順序を関連付け情報に基づいて決定し、ステップ２０３、２０４で、送信部２１が、記事＃３内のパーツのうち、指定されたパーツのパーツイメージを最初に配信し、残りのパーツのパーツイメージを、ステップ２０２で決定された配信順序で配信する。例えば、関連付け情報記憶部２５に記憶された関連付け情報を参照し、パーツ＃３の次にパーツ＃１又はパーツ＃２を読むことを予測して、パーツ＃３の前のパーツ＃１とパーツ＃２とを配信することを決定する。
【００３２】
すると、携帯端末１０では、受信部１９が、配信サーバ２０からパーツイメージ（記事＃３のパーツ＃３）を受信し、表示制御部１４が、そのパーツイメージ（記事＃３のパーツ＃３）を表示画面に表示する。
【００３３】
また、第２の変形例は、最初に配信するパーツイメージをユーザが指定し、その近傍のパーツイメージを優先的にダウンロードするという方法である。
この場合、携帯端末１０での動作は第１の変形例と同様である。
一方、配信サーバ２０での動作は、ステップ２０２で、パーツ決定部２６が、指定された記事内の指定されたパーツ（図１０の例では、記事＃３のパーツ＃３）以外のパーツイメージの配信順序をレイアウト情報に基づいて決定する点以外は、第１の変形例と同様である。
【００３４】
尚、本実施の形態及び第１の変形例では、配信サーバ２０が保持する関連付け情報を参照して、配信サーバ２０がパーツイメージの配信順序を決定したが、配信サーバ２０から携帯端末１０へ関連付け情報を送信し、携帯端末１０が、関連付け情報を参照して、パーツイメージの表示順序を決定するようにしてもよい。
【００３５】
また、本実施の形態では、位置の指定がされない場合、例えば携帯端末１０の電源投入後、最初に新聞イメージを受信する場合等に、関連付け情報を用いて次のような表示方法を採用してもよい。
即ち、まず、ページ内の記事を順次選択しながら、各記事に関連付けられた１番目のパーツイメージを全ての記事について表示し、次に、各記事に関連付けられた２番目のパーツイメージを全ての記事について表示し（２番目のパーツイメージがなければ表示しない）、その次に、各記事に関連付けられた３番目のパーツイメージを全ての記事について表示する（３番目のパーツイメージがなければ表示しない）、といった方法である。
例えば、関連付け情報が図６のような構造を有していれば、まず、パーツのリストの最も左の列のパーツについてパーツイメージを表示し、次に、その右の列のパーツについてパーツイメージを表示し、その次に、更にその右の列のパーツについてパーツイメージを表示する。
【００３６】
ここで、この表示方法は、複数の部分領域のうちの第１の部分領域に含まれる複数の小領域のうち特定の順番が設定された１つの小領域に対応する第１の小領域画像を表示した後に、複数の部分領域のうちの第２の部分領域に含まれる複数の小領域のうちその特定の順番が設定された１つの小領域に対応する第２の小領域画像を表示する、という方法の一例である。
【００３７】
そして、このときのページ内の記事の選択順序としては、例えば、記事ＩＤの順序のように予め定めた順序を採用するとよい。
或いは、記事ごとにキーワードを付与すると共に、ユーザにはよく読む記事の情報を付与しておき、これらの情報の照合結果に基づく順序を採用してもよい。尚、ここでは、記事に対してはキーワードを、ユーザに対してはよく読む記事の情報を付与したが、記事の属性、ユーザの属性であれば、如何なる情報を付加してもよい。
【００３８】
或いは、位置の指定がされない場合には、記事に関係なく全体イメージを端から順に表示する表示方法や、記事を順番に選択しながら各記事内のパーツイメージを表示する表示方法を採用することも考えられる。
【００３９】
更に、本実施の形態では、読みたい箇所の指定方法（全体イメージを拡大したか全体イメージをスクロールしたか）とパーツイメージの表示方法とは無関係であることを前提にしたが、読みたい箇所の指定方法に応じてパーツイメージの表示順序を切り替えるようにしてもよい。例えば、全体イメージを拡大して読みたい箇所を指定した場合は、指定された記事内の全パーツイメージを予め定められた順序で表示するという表示方法を採用し、全体イメージをスクロールして読みたい箇所を指定した場合は、指定された記事の特定のパーツイメージ（例えば、見出しのイメージ）を表示し、次に、他の記事の特定のパーツイメージ（例えば、見出しのイメージ）を表示する、といった表示方法を採用してもよい。
【００４０】
ところで、本実施の形態では、配信サーバ２０が、全体イメージ、パーツイメージを記憶し、送信し、携帯端末１０が、全体イメージ、パーツイメージを受信し、表示する処理を行うようにしたが、これらの処理は汎用のコンピュータで行ってもよい。
そこで、この汎用のコンピュータをコンピュータ９０として、コンピュータ９０のハードウェア構成について説明する。
【００４１】
図１２は、コンピュータ９０のハードウェア構成を示した図である。
図示するように、コンピュータ９０は、演算手段であるＣＰＵ（Central Processing Unit）９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーション等の各種ソフトウェアを実行し、上述した各機能を実現する。また、メインメモリ９２は、各種ソフトウェアやその実行に用いるデータ等を記憶する記憶領域であり、磁気ディスク装置９３は、各種ソフトウェアに対する入力データや各種ソフトウェアからの出力データ等を記憶する記憶領域である。
更に、コンピュータ９０は、外部との通信を行うための通信Ｉ／Ｆ９４と、ビデオメモリやディスプレイ等からなる表示機構９５と、キーボードやマウス等の入力デバイス９６とを備える。
【００４２】
尚、本実施の形態を実現するプログラムは、通信手段により提供することはもちろん、ＣＤ−ＲＯＭ等の記録媒体に格納して提供することも可能である。
【符号の説明】
【００４３】
１０…携帯端末、２０…配信サーバ、８０…ネットワーク
【図１】
2011141765.tif 000003
【図２】
2011141765.tif 000004
【図３】
2011141765.tif 000005
【図４】
2011141765.tif 000006
【図５】
2011141765.tif 000007
【図６】
2011141765.tif 000008
【図７】
2011141765.tif 000009
【図８】
2011141765.tif 000010
【図９】
2011141765.tif 000011
【図１０】
2011141765.tif 000012
【図１１】
2011141765.tif 000013
【図１２】
2011141765.tif 000014